(57)【要約】【課題】戸外でトイレを一時的に設置して用足しする場合において、密室状の室内を仮設し、この室内に携帯用便器を配置することにより、外部からの視線を完全に遮断した状態で携帯用便器により用足しできる仮設トイレを提供する。【解決手段】室内空間を密室状に形成し、この中に携帯用便器３１を配置した仮設トイレ１であって、分解組立て可能に形成された骨組み４に対し外部からの透視を遮蔽した形態によるシート状の被覆部材３を覆い被せて所望の室内空間となる仮設室内２を形成し、この被覆部材３の当該仮設室内２の側壁２６となる部分に開閉自在な開口２７を備えた構成になっている。これにより、仮設トイレ１の使用者は、開口２７より密室状の仮設室内２に入って開口２７を閉じれば、戸外でも外部からの視線を被覆部材３によって完全に遮断された状態で、仮設室内２に配置した携帯用便器３１を使用して用を足すことができる。【選択図】        図１
2004204567.tif 000002
【特許請求の範囲】
【請求項１】
室内空間を密室状に形成し、この中に携帯用便器を配置した仮設トイレであって、
分解組立て可能に形成された骨組みに対し外部からの透視を遮蔽した形態によるシート状の被覆部材を覆い被せて所望の室内空間となる仮設室内を形成し、この被覆部材の当該仮設室内の側壁となる部分に開閉自在な開口を備えた構成になっていることを特徴とする仮設トイレ。
【請求項２】
請求項１に記載の仮設トイレであって、骨組みは、複数のパイプによる連結構造で構成されていることを特徴とする仮設トイレ。
【請求項３】
請求項１または２に記載の仮設トイレであって、骨組みには、骨組みを地面側に押圧するための保持部が設けられていることを特徴とする仮設トイレ。
【発明の詳細な説明】
【０００１】
【発明の属する技術分野】
本発明は、戸外でトイレを一時的に設置して用足しする場合には、密室状の室内を仮設し、この室内に配置した携帯用便器で外部からの視線を完全に遮断した状態で用足しできる仮設トイレに関する。
【０００２】
【従来の技術】
従来、戸外で携帯用トイレを使用して用を足す時、その使用者は、用足し時に外部からの視線を防ぐため、専用のマントを身にまとって首から下の部分を完全に隠し、恥ずかしさを隠すためにフードを頭にかぶりながら、マント内で携帯用便器を跨ぎ腰を下ろして用を足していた。
【０００３】
【特許文献１】
特開平８−２１８２０７（Ｐ２、[０００６]、Ｌ３６〜Ｌ４６、図７）
【０００４】
【発明が解決しようとする課題】
しかしながら、特に、トイレを設備していないキャンプ場等において従来の携帯トイレを一時的なトイレとして用いた場合、この携帯トイレの使用者は、用足し時ごとにマントとフードとを身に付ける必要があり、手間がかかる。
また、このような携帯トイレは、戸外においてトイレ使用者自身の身体全体像を完全に隠すことができないため、用足し時においての外部からの視線の遮断は十分でなかった。
本発明は、このような問題点を解決するために創案されたものであり、戸外でトイレを一時的に設置して用足しする場合において、密室状の室内を仮設し、この室内に携帯用便器を配置することにより、外部からの視線を完全に遮断した状態で携帯用便器により用足しできる仮設トイレを提供することを目的とする。
【０００５】
【課題を解決するための手段】
上記課題を達成するための本発明の第１発明は、請求項１に記載されたとおりの仮設トイレである。
請求項１に記載の仮設トイレによれば、室内空間を密室状に形成し、この中に携帯用便器を配置した仮設トイレであって、分解組立て可能に形成された骨組みに対し外部からの透視を遮蔽した形態によるシート状の被覆部材を覆い被せて所望の室内空間となる仮設室内を形成し、この被覆部材の当該仮設室内の側壁となる部分に開閉自在な開口を備えた構成になっている。
これにより、請求項１に記載の仮設トイレの使用者は、開口より密室状の仮設室内に入って開口を閉じれば、戸外でも外部からの視線を被覆部材によって完全に遮断された状態で、仮設室内に配置した携帯用便器を使用して用を足すことができる。
【０００６】
また、本発明の第２発明は、請求項２に記載されたとおりの仮設トイレである。
請求項２に記載の仮設トイレによれば、骨組みは、複数のパイプによる連結構造で構成されている。
これにより、仮設室内の骨格が簡単な構成で形成できるようになり、骨組み分解時でのパイプをコンパクトな状態にしてまとめることができるため、本発明の仮設トイレの携帯性は良くなる。
また、パイプどうしの連結構造は、比較的簡単な構造で形成することができるため、結果的に骨組みの分解及び組立性は良好になる。
【０００７】
また、本発明の第３発明は、請求項３に記載されたとおりの仮設トイレである。
請求項３に記載の仮設トイレによれば、骨組みには、骨組みを地面側に押圧するための保持部が設けられている。
これにより、保持部を地面側に押圧した状態にすれば、骨組みは地面側に対してより安定した状態で配置されるようになり、仮設室内の立設状態は良好になる。
【０００８】
【発明の実施の形態】
以下に、本発明の実施の形態を、図１〜図５を用いて説明する。
本実施の形態の仮設トイレ１は、例えば、トイレが設備されていないキャンプ場等の戸外において、トイレを一時的に設置する必要がある場合に用いられる。
【０００９】
仮設トイレ１は、図１に示すように、シート状の被覆部材３を骨組み４の外側に覆い被せて密室状の室内空間を形成した仮設室内２と、この仮設室内２に配置された携帯用便器３１とでなり、その骨組み４には、仮設室内２の設置状態を安定させる保持部８が構成されている。
【００１０】
本実施の形態の仮設室内２は、骨組み４に対して被覆部材３を覆い被せられた仮設室内２の断面を方形状とした立体的な形態で構成されている。そして、仮設室内２の骨組み４は、例えば、図２に示すように、金属製でなる同一穴径の複数種のパイプを複数本組合わせて連結してそれぞれ略方形状に形成した２つの枠組５、６を、両枠組５、６の梁部のほぼ中央でクロスさせて組付けた構造で構成されている。
なお、仮設室内２の断面形状は、方形に限定されるものではなく、例えば、円形等でも良く、種々変更可能である。
【００１１】
一つの枠組５は、図２に示すように、両端部が中空状態のパイプを略コ字形状に形成した梁用骨材１１と、ストレート形状のパイプでなりパイプの中空穴に対して嵌接状態で挿入可能な突起形状の連結部１２をパイプの一端側に備えた支柱用骨材１３と、ストレート形状のパイプでなり連結部１２をパイプの両端側に備えた支柱用骨材１４とからなっている。
【００１２】
そして、枠組５は、支柱用骨材１４の一方側の連結部１２を支柱用骨材１３の他端側の端部の中空穴に挿入して支柱用骨材１３と支柱用骨材１４とを連結させた１本状の支柱７を２本形成し、支柱７の両端側、すなわち支柱用骨材１３の一方側と支柱用骨材１４の他端側の連結部１２、１２を上方側と下方側との両梁用骨材１１、１１における両端部の中空穴に挿入することによって矩形状に形成される。
【００１３】
また、他の枠組６は、端部が中空状態のパイプを、梁用骨材１１とのクロス箇所で梁用骨材１１を跨いだ状態になるように、２本連結して略コ字形状に形成した梁用骨材１５と、梁用骨材１５の片方のパイプを、端部に連結部１２を備えたストレート形状のパイプに替えた梁用骨材１６と、支柱用骨材１３、１４と、保持部付骨材１７とからなっている。
【００１４】
保持部付骨材１７は、端部が中空状態のパイプを略Ｌ字形状に形成した骨材１８、１９と、端部が中空状態のストレート形状のパイプでなる骨材２０との一体構造で形成され、これらの骨材１８、１９、２０を一束状に並列配置して形成される保持部８を備えている。
【００１５】
なお、骨組み４は、保持部付骨材１７を金属製で形成し、それ以外の骨材１１、１３、１４、１５、１６、１８、１９、２０を樹脂製のパイプで構成しても良い。
【００１６】
枠組６は、枠組５と同様、支柱用骨材１３と支柱用骨材１４とを連結させた支柱７を２本形成し、１本の支柱７については、梁用骨材１５と梁用骨材１６とにおける一端側の中空穴に支柱７の両端側の連結部１２、１２をそれぞれ挿入し、もう１本の支柱７については、支柱７の上端側の連結部１２を梁用骨材１５の他端側の中空穴に挿入すると共に、梁用骨材１６の連結部１２を骨材２０の中空穴に挿入することによって矩形状に形成される。
【００１７】
骨組み４では、図１に示すように、後述する被係留部材３０と係留可能な係留部材２９が、下方側の梁用骨材１１と梁用骨材１６との角部や、保持部付骨材１７の骨材１９の角部に配設されている。
【００１８】
本実施の形態では、保持部付骨材１７の骨材１８の端部の中空穴には、ホルダスタンド２１の連結部１２が挿入されるようになっている。
すなわち、ホルダスタンド２１は、図２に示すように、骨組み４と同一穴径のパイプでなり、その一端部に連結部１２を備えると共に、例えば、自然長に近い状態で引張りコイルバネ等をリング状に繋いで当該ホルダスタンド２１に固定し、バネの復元力（弾性力）によってペットボトル等の容器２３を保持可能に形成したホルダ２２を備えている。
ホルダ２２は、通常、水が入った容器２３の容器口２４を開栓状態で上方側にして容器２３のほぼ中央部の外周囲を保持しており、用足し後の手洗い等時では、図２の矢印方向に容器２３ごとホルダ２２を回転させ、容器口２４を下方側にして容器２３内の水が落下できるようになっている。
【００１９】
被覆部材３は、図１に示すように、例えば合成繊維によるシート状の生地や布生地等を透視不可な形態（透視を遮蔽した形態）にして形成され、骨組み４の外側を仮設室内２の天井壁２５や側壁２６として覆う被せることができる形状に一体成形されている。
被覆部材３における仮設室内２の一つの側壁２６となる部分には、人が出入りできる大きさの開口２７が設けられている。この開口２７には、例えば、ファスナ、スナップ、ボタン等の開閉具２８が取付けられ、開口２７は、開閉具２８の開閉が仮設室内２の室内や室外から自在にできるように構成されている。
【００２０】
また、被覆部材３を骨組み４に覆い被せた状態において、被覆部材３における骨組み４の支柱７が位置する部分の裾には、係留部材２９の配設数分（図１では４つ）の被係留部材３０が配設されている。
仮設室内２は、図１に示すように、骨組み４に被覆部材３を覆い被せた後、係留部材２９と被係留部材３０とを係留させることにより被覆部材３を骨組み４に固定して形成される。
【００２１】
なお、係留部材２９と被係留部材３０としては、例えば、被貼付部材と、被貼付部材と共に繰返し着脱を可能とした貼付部材（テープ）の他、フックとリング、スナップの凸部と凹部等のように、係留部材２９と被係留部材３０との着脱が自在にできるものが好ましい。
【００２２】
携帯用便器３１は、図３及び図４に示すように、便器本体３２と、便器本体３２の上面開口部３３の周りに載置されている便座３４と、上面開口部３３を閉鎖する蓋３５とからなり、上面開口部３３から便器本体３２内に便容器３６が懸架されている。
【００２３】
携帯用便器３１を仮設室内２に配置する際、携帯用便器３１の便器本体３２と、梁用骨材１１や梁用骨材１５（場合によっては保持部付骨材１７の骨材２０）によるパイプとの緩衝を回避するため、便器本体３２下方の四隅には、便器本体３２を底上げする脚部３７が設けられている。
携帯用便器３１は、図１に示すように、脚部３７を地面等に置いた状態で仮設室内２に配置される。
【００２４】
便容器３６は、図３及び図４に示すように、一定の深さの収容部３８を有し、当該便容器３６の上縁にはフランジ３９を備え、このフランジ３９を便器本体３２の上面開口部３３の周囲のフランジ４０に載置することによって便器本体３２内に懸架される。
【００２５】
便座３４は、その根端を便器本体３２後端にヒンジ部（図示省略）を介して螺着されており、蓋３５は、その根端を便座３４と共にヒンジ部（図示省略）を介して便器本体３２の後端に螺着されている。
【００２６】
便袋４１には、図５に示すように、例えば、その前後に鍔部４２を備え保水性の高い材料で形成された紙おむつ等が用いられ、紙おむつとしては市販されているペット用の紙おむつが好ましい。
便袋４１は、便容器３６の収容部３８に敷かれ、その鍔部４２を便容器３６のフランジ３９と便座３４の間に挟み込んで便袋４１を固定した状態で携帯用便器３１にセットされ、この便袋４１のセット状態が、すなわち用足し時での使用状態（図３及び図４の状態）となる。
【００２７】
以上により、戸外でトイレを一時的に設置する場合、上記した構成の仮設トイレ１を用いれば、仮設室内２は外部からの透視を遮蔽した形態の被覆部材３によって密室状に構成されているため、開口２７より仮設室内２に入って開口２７を閉じれば、被覆部材３により外部からの視線を完全に遮断した状態で、仮設室内２に配置した携帯用便器３１で用を足すことができる。
【００２８】
また、骨組み４は、複数種のパイプを複数本組合わせて連結した構造で形成されているため、仮設室内２の骨格を簡単に構成することができる。そして、仮設室内２は、このような骨組み４にシート状の被覆部材３を覆い被せ、係留部材２９と被係留部材３０とを係留して被覆部材３を骨組み４に固定して形成されるため、仮設室内２の立設やその解体が容易にできる。
【００２９】
また、骨組み４においてのパイプの連結構造は、端部が中空状態でなる一方のパイプと、パイプの中空穴に対して嵌接可能な突起形状の連結部１２を端部に備えた他方のパイプとを組合せ、一方のパイプの中空穴に他方のパイプの連結部１２を挿入して一方のパイプと他方のパイプとを連結させるため、パイプどうしの連結やその解除が簡単にでき、結果的に骨組み４の分解及び組立性は良好になる。
【００３０】
また、骨組み４を複数本からなるパイプの連結構造で構成し、被覆部材３を単一のシート状で形成することにより、仮設室内２の解体時において被覆部材３を折り畳み、骨組み４を分解すれば、仮設室内２をコンパクトな状態にまとめることができ、仮設トイレ１の携帯性は良くなる。
【００３１】
また、図１の矢印に示すように、例えば、自動車のタイヤ部分を保持部８に載せ、車重の一部を保持部８にかける方法等で保持部８を地面側に押圧することにより、骨組み４は地面側に対してより安定した状態で配置できるようになり、仮設室内２の立設状態は良好になる。
【００３２】
本発明は、上述した実施の形態に限定されるものではなく、その要旨を逸脱しない範囲内で適宜変更してもよい。
例えば、骨組み４を、複数のパイプを略方形状に連結した２つの枠組５、６を両枠組５、６の梁部のほぼ中央でクロスさせて組付けた構造で構成したが、骨組みの構造や構成は、実施の形態の構造や構成に限定されるものではなく、適宜変更可能である。
【００３３】
また、本実施の形態の連結部１２は、パイプと一体構造で構成したが、パイプどうしの連結手段は、パイプとは別体で構成しても良い。この場合、連結手段を、例えば、その中央部にパイプの中空穴より大きい外周でなるフランジを形成し、フランジの両側に中空穴に対して嵌接可能な突起形状の挿入部を形成して構成すると、連結手段の各挿入部がそれぞれの中空穴に挿入されれば、パイプは、フランジを挟んで連結される。
また、ホルダスタンド２１の設置は省略しても良い。
【００３４】
【発明の効果】
以上詳述したように、本発明による仮設トイレを用いれば、戸外において密室状な仮設室内を簡単に構成することができるため、被覆部材の開口より仮設室内に入って開口を閉じれば、戸外でも外部からの視線を被覆部材によって完全に遮断された状態で、仮設室内に配置した携帯用便器を使用して用を足すことができる。
【図面の簡単な説明】
【図１】本実施の形態の仮設トイレを示す斜視図である。
【図２】骨組みの構造を説明するための斜視図である。
【図３】使用状態での携帯用便器を示す概略図である。
【図４】携帯用便器の側面断面図である。
【図５】便袋を示す概略図である。
【符号の説明】
１…仮設トイレ
２…仮設室内
３…被覆部材
４…骨組み
８…保持部
２７…開口
３１…携帯用便器
【図１】
2004204567.tif 000003
【図２】
2004204567.tif 000004
【図３】
2004204567.tif 000005
【図４】
2004204567.tif 000006
【図５】
2004204567.tif 000007